Podtech/llm-jp-corpus-v4-ja_patent huggingface dataset:
【手続補正書】
【提出日】平成23年12月1日(2011.12.1)
【手続補正１】
【補正対象書類名】特許請求の範囲
【補正対象項目名】全文
【補正方法】変更
【補正の内容】
【特許請求の範囲】
【請求項１】
第１乃至第４チャネル位置を有した第１乃至第４固体インクスティック送給チャネルを備えた相変化インクジェットプリンタに装填される固体インクスティックセットであって、
少なくとも第１乃至第３側面と、当該第１側面に配置された第１嵌合要素と、を備えた第１固体インクスティックと、
前記第１固体インクスティックの側面と同じ数の側面を備えた第２固体インクスティックであって、前記第１嵌合要素が配置された前記第１固体インクスティックの第１側面に相当する前記第２固体インクスティックの同じ側面に配置された第２嵌合要素を備えた第２固体インクスティックと、
前記第１および第２固体インクスティックの側面と同じ数の側面を備えた第３固体インクスティックであって、前記第１嵌合要素が配置された前記第１固体インクスティックの第１側面および前記第２嵌合要素が配置された前記第２固体インクスティックの同じ側面に相当する第３固体インクスティックの同じ側面に配置された第３嵌合要素を備えた第３固体インクスティックと、
前記第１乃至第３固体インクスティックの側面と同じ数の側面を備えた第４固体インクスティックであって、前記第１嵌合要素が配置された前記第１固体インクスティックの第１側面、前記第２嵌合要素が配置された前記第２固体インクスティックの同じ側面、および、前記第３嵌合要素が配置された前記第３固体インクスティックの同じ側面に相当する第４固体インクスティックの同じ側面に配置された第４嵌合要素を備えた第４固体インクスティックと、
を備え、
前記第１および第２固体インクスティックの対応する側面における嵌合要素部分を除いて、前記第２固体インクスティックの側面により形成される前記第２固体インクスティックの外周囲が、前記第１固体インクスティックの側面により形成される前記第１固体インクスティックの外周囲と一致するように、前記第２固体インクスティックの同じ側面における前記第２嵌合要素の位置が前記第１固体インクスティックの第１側面における第１嵌合要素の位置から第１距離だけオフセットされており、
前記第１乃至第３固体インクスティックの対応する側面における嵌合要素部分を除いて、前記第３固体インクスティックの側面により形成される前記第３固体インクスティックの外周囲が、前記第１、第２固体インクスティックそれぞれの側面により形成される前記第１、第２固体インクスティックそれぞれの外周囲と一致するように、前記第３固体インクスティックの同じ側面における前記第３嵌合要素の位置が、前記第２固体インクスティックの側面における第２嵌合要素の位置から第１距離だけ、前記第１固体インクスティックの側面における第１嵌合要素の位置から第２距離だけ、オフセットされており、
前記第１乃至第４固体インクスティックの対応する側面における嵌合要素部分を除いて、前記第４固体インクスティックの側面により形成される前記第４固体インクスティックの外周囲が、第１乃至第３固体インクスティックそれぞれの側面により形成される第１乃至第３固体インクスティックそれぞれの外周囲に一致するように、前記第４固体インクスティックの同じ側面における前記第３嵌合要素の位置が、前記第３固体インクスティックの側面における第３嵌合要素の位置から第１距離だけ、前記第２固体インクスティックの側面における第２嵌合要素の位置から第２距離だけ、前記第１固体インクスティックの側面における第１嵌合要素の位置から第３距離だけ、オフセットされており、
前記第１距離は、前記第２距離より小さく、前記第２距離は前記第３距離より小さい、
固体インクスティックセット。
【請求項２】
少なくとも三つの送給チャネルを備えた相変化インクジェットプリンタに装填される固体インクスティックセットであって、
それぞれが、前記少なくとも三つの送給チャネルの一つだけに装填されるべく構成された少なくとも三つの固体インクスティックを備え、
各個体インクスティックは、少なくとも三つの側面を有し、
第１固体インクスティックは、他の個体インクスティックの側面に形成された嵌合要素と対応する、当該第１固体インクスティックの側面に嵌合要素を有しており、
前記各個体インクスティックの側面の嵌合要素位置は他の固体インクスティックの側面の嵌合要素から規定距離だけオフセットされていることを除いて、前記固体インクスティックの少なくとも三つの側面は、他の個体インクスティックの外周囲と同じサイズおよび形の外周囲を形成し、
前記各固体インクスティックの側面の嵌合要素の位置は、前記相変化インクジェットプリンタのただ一つの送給チャネルの嵌合開口への前記固体インクスティックの装填を可能にする、
固体インクスティックセット。
【請求項３】
請求項２記載の固体インクスティックセットであって、各個体インクスティックの嵌合要素は、実質的に他の嵌合要素と同じである、固体インクスティックセット。
【請求項４】
相変化インクジェット用の送給システムであって、
少なくとも三つの送給チャネルと、
前記各送給チャネルの一端に形成された固体インクスティック開口と、
を備え、
各個体インクスティック開口は、少なくとも三つの側面により外周囲を構成し、
各固体インクスティック開口それぞれの外周囲のうち互いに同じ側面には嵌合開口が設けられ、
前記嵌合開口は、前記他の個体インクスティック開口の外周囲に形成された嵌合開口から少なくとも規定距離だけ、オフセットされており、
前記嵌合開口は、一つの嵌合開口に対応した外周囲を備えた一つの固定インクスティックだけを受け入れ可能にし、
前記嵌合要素は、前記固体インクスティック開口の外周囲に形成された前記嵌合開口に対応する位置に配置される、
送給システム。
【手続補正書】
【提出日】平成24年2月23日(2012.2.23)
【手続補正１】
【補正対象書類名】特許請求の範囲
【補正対象項目名】全文
【補正方法】変更
【補正の内容】
【特許請求の範囲】
【請求項１】
二つの端面間を連通する複数のセルが形成されるように配置された、多数の細孔を有する多孔質の隔壁、及び、前記セルを、いずれかの前記端面または前記セルの内部で目封止するように配置された目封止部を有するハニカム構造体と、
前記隔壁の表面に担持された、触媒を含有する触媒層と、を備え、
前記隔壁の、厚さが７６．２〜１７７．８μｍ、平均細孔径が８〜３０μｍ、気孔率が１０〜３５％であり、
前記セルの密度が１２．４〜４５．０セル／ｃｍ２であり、
前記セルの連通方向に垂直な断面における、その断面積と前記セルの開口面積の総和との合計に対する、前記セルの開口面積の総和の割合が、８３〜９０％である、
ハニカム触媒体。
【請求項２】
前記隔壁のパーミアビリティーが、１×１０−１２〜６×１０−１２ｍ２である請求項１に記載のハニカム触媒体。
【請求項３】
前記セルの水力直径（ｍ）と前記パーミアビリティー（ｍ２）が、
（セルの水力直径）２／（パーミアビリティー）＝１．０×１０５〜４．５×１０６の関係を満たす請求項１または２に記載のハニカム触媒体。
【請求項４】
前記ハニカム構造体は、コージェライト、アルミナタイタネート、炭化珪素、サイアロン、ムライト、窒化珪素、リン酸ジルコニウム、ジルコニア、チタニア、アルミナ、及びシリカからなる群より選択される少なくとも一種のセラミックスを含む材料からなる請求項１〜３のいずれか一項に記載のハニカム触媒体。
【請求項５】
４０〜８００℃における、前記セルの連通方向の熱膨張係数が、１．０×１０−６／℃以下である請求項１〜４のいずれか一項に記載のハニカム触媒体。
【請求項６】
前記触媒が、白金及び酸化セリウムを含有する酸化触媒である請求項１〜５のいずれか一項に記載のハニカム触媒体。
【請求項７】
前記触媒が、白金、ロジウム、及びパラジウムからなる群より選択される少なくとも一種の貴金属、並びに、酸化セリウム及び酸化ジルコニウムの少なくともいずれかを有する触媒助剤を含有する三元触媒である請求項１〜５のいずれか一項に記載のハニカム触媒体。
【請求項８】
前記触媒が、アルカリ金属及びアルカリ土類金属の少なくともいずれかを含有するＮＯＸ吸蔵還元触媒である請求項１〜５のいずれか一項に記載のハニカム触媒体。
【請求項９】
前記触媒層は、アルミナ、ジルコニア、及びセリアからなる群より選択される少なくとも一種を含む助触媒と、前記触媒及び前記助触媒を保持する保持材料と、を更に含有する請求項１〜８のいずれか一項に記載のハニカム触媒体。
【請求項１０】
前記触媒層の密度が、８０〜４００ｇ／Ｌである請求項１〜９のいずれか一項に記載のハニカム触媒体。
【手続補正２】
【補正対象書類名】明細書
【補正対象項目名】０００９
【補正方法】変更
【補正の内容】
【０００９】
［１］  二つの端面間を連通する複数のセルが形成されるように配置された、多数の細孔
を有する多孔質の隔壁、及び、前記セルを、いずれかの前記端面または前記セルの内部で
目封止するように配置された目封止部を有するハニカム構造体と、前記隔壁の表面に担持
された、触媒を含有する触媒層と、を備え、前記隔壁の、厚さが７６．２〜１７７．８μ
ｍ、平均細孔径が８〜３０μｍ、気孔率が１０〜３５％であり、前記セルの密度が１２．
４〜４５．０セル／ｃｍ２であり、前記セルの連通方向に垂直な断面における、その断面積と前記セルの開口面積の総和との合計に対する、前記セルの開口面積の総和の割合が、８３〜９０％である、ハニカム触媒体。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
［２］  前記隔壁のパーミアビリティーが、１×１０−１２〜６×１０−１２ｍ２である前記［１］に記載のハニカム触媒体。
【手続補正５】
【補正対象書類名】明細書
【補正対象項目名】００１２
【補正方法】変更
【補正の内容】
【００１２】
［３］  前記セルの水力直径（ｍ）と前記パーミアビリティー（ｍ２）が、（セルの水力直径）２／（パーミアビリティー）＝１．０×１０５〜４．５×１０６の関係を満たす前記［１］または［２］に記載のハニカム触媒体。
【手続補正６】
【補正対象書類名】明細書
【補正対象項目名】００１３
【補正方法】変更
【補正の内容】
【００１３】
［４］  前記ハニカム構造体は、コージェライト、アルミナタイタネート、炭化珪素、サイアロン、ムライト、窒化珪素、リン酸ジルコニウム、ジルコニア、チタニア、アルミナ、及びシリカからなる群より選択される少なくとも一種のセラミックスを含む材料からなる前記［１］〜［３］のいずれかに記載のハニカム触媒体。
【手続補正７】
【補正対象書類名】明細書
【補正対象項目名】００１４
【補正方法】変更
【補正の内容】
【００１４】
［５］  ４０〜８００℃における、前記セルの連通方向の熱膨張係数が、１．０×１０−６／℃以下である前記［１］〜［４］のいずれかに記載のハニカム触媒体。
【手続補正８】
【補正対象書類名】明細書
【補正対象項目名】００１５
【補正方法】変更
【補正の内容】
【００１５】
［６］  前記触媒が、白金及び酸化セリウムを含有する酸化触媒である前記［１］〜［５］のいずれかに記載のハニカム触媒体。
【手続補正９】
【補正対象書類名】明細書
【補正対象項目名】００１６
【補正方法】変更
【補正の内容】
【００１６】
［７］  前記触媒が、白金、ロジウム、及びパラジウムからなる群より選択される少なくとも一種の貴金属、並びに、酸化セリウム及び酸化ジルコニウムの少なくともいずれかを有する触媒助剤を含有する三元触媒である前記［１］〜［５］のいずれかに記載のハニカム触媒体。
【手続補正１０】
【補正対象書類名】明細書
【補正対象項目名】００１７
【補正方法】変更
【補正の内容】
【００１７】
［８］  前記触媒が、アルカリ金属及びアルカリ土類金属の少なくともいずれかを含有するＮＯＸ吸蔵還元触媒である前記［１］〜［５］のいずれかに記載のハニカム触媒体。
【手続補正１１】
【補正対象書類名】明細書
【補正対象項目名】００１８
【補正方法】変更
【補正の内容】
【００１８】
［９］  前記触媒層は、アルミナ、ジルコニア、及びセリアからなる群より選択される少なくとも一種を含む助触媒と、前記触媒及び前記助触媒を保持する保持材料と、を更に含有する前記［１］〜［８］のいずれかに記載のハニカム触媒体。
【手続補正１２】
【補正対象書類名】明細書
【補正対象項目名】００１９
【補正方法】変更
【補正の内容】
【００１９】
［１０］  前記触媒層の密度が、８０〜４００ｇ／Ｌである前記［１］〜［９］のいずれかに記載のハニカム触媒体。
【手続補正書】
【提出日】平成24年3月15日(2012.3.15)
【手続補正１】
【補正対象書類名】特許請求の範囲
【補正対象項目名】全文
【補正方法】変更
【補正の内容】
【特許請求の範囲】
【請求項１】
インクを吐出するための複数のノズルを配列してなるノズル列を有する記録ヘッドと、前記記録ヘッドを搭載し、前記複数のノズルの配列方向と交差する走査方向に走査するキャリッジと、を有し前記記録ヘッドを記録媒体の同一領域に複数回走査することにより画像を記録するインクジェット記録装置であって、
前記記録ヘッドの記録位置のずれ量を前記走査方向の複数の位置で取得する取得手段と、
前記複数の記録位置のずれ量に基づいて、前記記録ヘッドからのインクの吐出タイミングを変更するように制御する制御手段と、を有し、
前記制御手段は、前記複数の記録位置のずれ量に基づいて吐出タイミングを変更した位置が、前記同一領域に記録する複数の走査においてそれぞれ異なるように制御することを特徴とするインクジェット記録装置。
【請求項２】
前記記録位置のずれ量は、前記記録ヘッドで記録媒体上に記録された調整パターンの目標位置からのずれ量であることを特徴とする請求項１に記載のインクジェット記録装置。
【請求項３】
前記制御手段は、前記複数の走査ごとに異なる開始タイミングとなるように前記記録ヘッドのインクの吐出タイミングを変更することを特徴とする請求項１または請求項２に記載の記録装置。
【請求項４】
前記制御手段は、前記複数の走査ごとに異なる補正値を前記複数の記録位置のずれ量に加算して走査ごとの吐出タイミングの変更量を算出し、前記走査ごとの変更量に基づいてインクの吐出タイミングを制御することを特徴とする請求項１または請求項２に記載の記録装置。
【請求項５】
前記キャリッジには、前記複数の記録位置のずれ量を取得するための光学式センサが搭載されていることを特徴とする請求項１乃至請求項４のいずれか１項に記載の記録装置。
【請求項６】
記録媒体を支持するプラテンを有し、
前記記録ヘッドは、前記プラテンと並行に走査されることを特徴とする請求項１乃至請求項５のいずれか１項に記載の記録装置。
【請求項７】
前記キャリッジは、複数の支持点で支持されたメインレールに沿って走査され、
前記取得手段は、前記複数の支持点の周囲を中心に前記複数の記録位置のずれ量を取得することを特徴とする請求項１乃至請求項６のいずれか１項に記載の記録装置。
【手続補正２】
【補正対象書類名】明細書
【補正対象項目名】００１０
【補正方法】変更
【補正の内容】
【００１０】
本発明は、インクを吐出するための複数のノズルを配列してなるノズル列を有する記録ヘッドと、前記記録ヘッドを搭載し、前記複数のノズルの配列方向と交差する走査方向に走査するキャリッジと、を有し前記記録ヘッドを記録媒体の同一領域に複数回走査することにより画像を記録するインクジェット記録装置であって、前記記録ヘッドの記録位置のずれ量を前記走査方向の複数の位置で取得する取得手段と、前記複数の記録位置のずれ量に基づいて、前記記録ヘッドからのインクの吐出タイミングを変更するように制御する制御手段と、を有し、前記制御手段は、前記複数の記録位置のずれ量に基づいて吐出タイミングを変更した位置が、前記同一領域に記録する複数の走査においてそれぞれ異なるように制御することを特徴とする。
【手続補正書】
【提出日】平成24年3月15日(2012.3.15)
【手続補正１】
【補正対象書類名】特許請求の範囲
【補正対象項目名】全文
【補正方法】変更
【補正の内容】
【特許請求の範囲】
【請求項１】
インクを吐出するための複数のノズルを配列してなるノズル列を備える記録ヘッドと、
前記記録ヘッドを搭載し、前記複数のノズルの配列方向と交差する走査方向に往復走査するキャリッジとを有するインクジェット記録装置であって、
前記キャリッジの姿勢の変動による前記走査方向の位置ごとの第１の記録位置ずれ量と、前記記録ヘッドと記録媒体との距離の変動による前記走査方向の位置ごとの第２の記録位置ずれ量と、を前記走査方向の位置ごとに加算する加算手段と、
前記加算手段で得られた第３の記録位置ずれ量に基づいて、前記走査方向の前記記録ヘッドからのインクの吐出タイミングを制御する駆動制御手段と、を備えることを特徴とするインクジェット記録装置。
【請求項２】
前記第１の記録位置ずれ量および前記第２の記録位置ずれ量は、前記記録ヘッドで記録された調整パターンの前記走査方向の位置ごとの目標着弾位置からのずれ量であることを特徴とする請求項１に記載のインクジェット記録装置。
【請求項３】
前記キャリッジには前記第１の記録位置ずれ量および第２の記録位置ずれ量を取得するための光学式センサが搭載されていることを特徴とする請求項１または請求項２に記載の記録装置。
【請求項４】
前記加算手段は、前記第１の記録位置ずれ量および前記第２の記録位置ずれ量のそれぞれの連続値を加算することを特徴とする請求項１乃至請求項３のいずれか１項に記載のインクジェット記録装置。
【請求項５】
前記キャリッジはメインレールに沿って走査されることを特徴とする請求項１乃至請求項４のいずれか１項に記載のインクジェット記録装置。
【請求項６】
前記加算手段は、前記第１の記録位置ずれ量と前記第２の記録位置ずれ量のそれぞれの前記走査方向の解像度が一致した状態で加算することを特徴とする請求項１乃至請求項５のいずれか１項に記載のインクジェット記録装置。
【請求項７】
インクを吐出するための複数のノズルを配列してなるノズル列を備える記録ヘッドと、
前記記録ヘッドを搭載し、前記複数のノズルの配列方向と交差する走査方向に往復走査するキャリッジとを有するインクジェット記録装置の記録方法であって、
前記インクジェット記録装置の出荷時のタイミングまたは部品交換のタイミングで前記走査方向の位置ごとの第１の記録位置ずれ量を求める第１取得工程と、
記録媒体の変更や前記記録ヘッドが交換されたタイミングで前記走査方向の位置ごとの第２の記録位置ずれ量を取得する第２取得工程と、
前記第１の記録位置ずれ量と前記第２の記録位置ずれ量とを前記走査方向の位置ごとに加算する加算工程と、
前記加算工程で得られた第３の記録位置ずれ量に基づいて、前記走査方向の前記記録ヘッドからのインク吐出タイミングを制御する制御工程と、
を備えることを特徴とするインクジェット記録装置の記録方法。
【請求項８】
前記第１の記録位置ずれ量および前記第２の記録位置ずれ量は、前記記録ヘッドで記録された調整パターンの前記走査方向の位置ごとの目標着弾位置からのずれ量であることを特徴とする請求項７に記載のインクジェット記録装置の記録方法。
【請求項９】
前記第１取得工程において、前記第１の記録位置ずれ量を連続値として取得し、
前記第２取得工程において、前記第２の記録位置ずれ量を連続値として取得し、
前記加算工程において、前記第１の記録位置ずれ量と前記第２の記録位置ずれ量とを連続値の状態で加算し、
前記制御工程において、連続値として得られた前記第３の位置ずれ量に基づいて、インク吐出タイミングを制御することを特徴とする請求項７または請求項８に記載のインクジェット記録装置の記録方法。
【手続補正２】
【補正対象書類名】明細書
【補正対象項目名】発明の名称
【補正方法】変更
【補正の内容】
【発明の名称】インクジェット記録装置およびインクジェット記録装置の記録方法
【手続補正３】
【補正対象書類名】明細書
【補正対象項目名】０００１
【補正方法】変更
【補正の内容】
【０００１】
本発明は、記録ヘッドよりインクを吐出して画像を記録するインクジェット記録装置およびインクジェット記録装置の記録方法に関する。
【手続補正４】
【補正対象書類名】明細書
【補正対象項目名】０００８
【補正方法】変更
【補正の内容】
【０００８】
本発明は、インクを吐出するための複数のノズルを配列してなるノズル列を備える記録ヘッドと、前記記録ヘッドを搭載し、前記複数のノズルの配列方向と交差する走査方向に往復走査するキャリッジとを有するインクジェット記録装置であって、前記キャリッジの姿勢の変動による前記走査方向の位置ごとの第１の記録位置ずれ量と、前記記録ヘッドと記録媒体との距離の変動による前記走査方向の位置ごとの第２の記録位置ずれ量と、を前記走査方向の位置ごとに加算する加算手段と、前記加算手段で得られた第３の記録位置ずれ量に基づいて、前記走査方向の前記記録ヘッドからのインクの吐出タイミングを制御する駆動制御手段と、を備えることを特徴とする。
【手続補正書】
【提出日】平成24年3月19日(2012.3.19)
【手続補正１】
【補正対象書類名】特許請求の範囲
【補正対象項目名】全文
【補正方法】変更
【補正の内容】
【特許請求の範囲】
【請求項１】
印刷データに含まれるオブジェクトを抽出する抽出手段と、
前記オブジェクトに対し、複数のオブジェクト属性の中からいずれのオブジェクト属性を有するかを判定する属性判定手段と、
前記オブジェクトをキャッシュから検索するキャッシュ検索手段と、
前記キャッシュに前記オブジェクトを登録するキャッシュ登録手段と、
前記オブジェクトが有する前記オブジェクト属性に基づいて、前記オブジェクトに対し、前記キャッシュ検索手段および前記キャッシュ登録手段による処理を適用するか否かを決定する実行決定手段と
を有することを特徴とする画像形成装置。
【請求項２】
前記属性判定手段は、前記オブジェクトのオブジェクト属性がテキスト、グラフィック、およびイメージのいずれかとして判定することを特徴とする請求項１に記載の画像形成装置。
【請求項３】
前記実行決定手段は、前記オブジェクト属性がテキストの場合は前記オブジェクトのサイズに基づいて決定し、前記オブジェクト属性がイメージの場合は前記オブジェクトを描画する描画論理に基づいて決定し、前記オブジェクト属性がグラフィックの場合は規則性のあるパターンの繰り返しに基づいて決定することを特徴とする請求項２に記載の画像形成装置。
【請求項４】
前記抽出手段は、前記オブジェクトの内容を特定するための情報を生成し、
前記キャッシュ登録手段は、前記オブジェクトと前記抽出手段により生成した情報と、前記オブジェクトを前記キャッシュに保持する期間を示す登録期間と、を登録することを特徴とする請求項１乃至３のいずれか一項に記載の画像形成装置。
【請求項５】
前記キャッシュ検索手段は、前記抽出手段により生成した情報と前記登録期間とに基づいて検索することを特徴とする請求項４に記載の画像形成装置。
【請求項６】
前記属性判定手段により判定された前記オブジェクト属性に応じて、前記オブジェクト属性ごとに異なる条件で当該オブジェクトのキャッシュ処理を実行するか否かを決定する決定手段を更に有することを特徴とする請求項２に記載の画像形成装置。
【請求項７】
前記属性判定手段により当該オブジェクトのオブジェクト属性がイメージであると判定された際、当該オブジェクトの描画論理を判定する描画論理判定手段を更に有し、
前記描画論理判定手段により、当該オブジェクトの描画論理が特定の描画論理でないと判定された場合、当該オブジェクトのキャッシュ処理を実行せず、特定の描画論理であると判定された場合、当該オブジェクトのキャッシュ処理を実行することを特徴とする請求項２に記載の画像形成装置。
【請求項８】
前記特定の描画論理は、ＸＯＲであることを特徴とする請求項７に記載の画像形成装置。
【請求項９】
印刷データに含まれるオブジェクトを抽出する抽出手段と、
前記オブジェクトに対し、複数のオブジェクト属性の中からいずれのオブジェクト属性を有するかを判定する属性判定手段と、
前記オブジェクトをキャッシュから検索するキャッシュ検索手段と、
前記オブジェクトが有する前記オブジェクト属性に基づいて、前記オブジェクトに対し、前記キャッシュ検索手段による処理を適用するか否かを決定する実行決定手段と
を有することを特徴とする画像形成装置。
【請求項１０】
印刷データに含まれるオブジェクトを抽出する抽出手段と、
前記オブジェクトに対し、複数のオブジェクト属性の中からいずれのオブジェクト属性を有するかを判定する属性判定手段と、
キャッシュに前記オブジェクトを登録するキャッシュ登録手段と、
前記オブジェクトが有する前記オブジェクト属性に基づいて、前記オブジェクトに対し、前記キャッシュ登録手段による処理を適用するか否かを決定する実行決定手段と
を有することを特徴とする画像形成装置。
【請求項１１】
画像形成装置の抽出手段が、印刷データに含まれるオブジェクトを抽出する抽出工程と、
前記画像形成装置の属性判定手段が、前記オブジェクトに対し、複数のオブジェクト属性の中からいずれのオブジェクト属性を有するかを判定する属性判定工程と、
前記画像形成装置のキャッシュ検索手段が、前記オブジェクトをキャッシュから検索するキャッシュ検索工程と、
前記画像形成装置のキャッシュ登録手段が、前記キャッシュに前記オブジェクトを登録するキャッシュ登録工程と、
前記画像形成装置の実行決定手段が、前記オブジェクトが有する前記オブジェクト属性に基づいて、前記オブジェクトに対し、前記キャッシュ検索工程および前記キャッシュ登録工程における処理を適用するか否かを決定する実行決定工程と
を有することを特徴とする画像形成装置の制御方法。
【請求項１２】
コンピュータを、
印刷データに含まれるオブジェクトを抽出する抽出手段、
前記オブジェクトに対し、複数のオブジェクト属性の中からいずれのオブジェクト属性を有するかを判定する属性判定手段、
前記オブジェクトをキャッシュから検索するキャッシュ検索手段、
前記キャッシュに前記オブジェクトを登録するキャッシュ登録手段、
前記オブジェクトが有する前記オブジェクト属性に基づいて、前記オブジェクトに対し、前記キャッシュ検索手段および前記キャッシュ登録手段による処理を適用するか否かを決定する実行決定手段
として機能させるためのプログラム。
【手続補正２】
【補正対象書類名】明細書
【補正対象項目名】発明の名称
【補正方法】変更
【補正の内容】
【発明の名称】画像形成装置およびその制御方法、並びにプログラム
【手続補正３】
【補正対象書類名】明細書
【補正対象項目名】０００６
【補正方法】変更
【補正の内容】
【０００６】
印刷データに含まれるオブジェクトを抽出する抽出手段と、
前記オブジェクトに対し、複数のオブジェクト属性の中からいずれのオブジェクト属性を有するかを判定する属性判定手段と、
前記オブジェクトをキャッシュから検索するキャッシュ検索手段と、
前記キャッシュに前記オブジェクトを登録するキャッシュ登録手段と、
前記オブジェクトが有する前記オブジェクト属性に基づいて、前記オブジェクトに対し、前記キャッシュ検索手段および前記キャッシュ登録手段による処理を適用するか否かを決定する実行決定手段とを有する。
【手続補正書】
【提出日】平成24年3月12日(2012.3.12)
【手続補正１】
【補正対象書類名】特許請求の範囲
【補正対象項目名】全文
【補正方法】変更
【補正の内容】
【特許請求の範囲】
【請求項１】
ホーニング盤の回転主軸先端に取り付けられて、工作物の被加工穴内径面をホーニング加工するホーニングツールであって、
前記回転主軸先端に着脱可能に取り付けられるシャンク部と、外周に砥石部を有する中空円筒棒状のツール本体とが、接合解除可能な接合手段により接合組立てされてなり、
前記接合手段は、前記ツール本体の基端接合部と前記シャンク部の接合穴との接合前後において、これら両者の接合同軸度を保持する接合固定構造であり、
この接合固定構造は、熱膨張あるいは熱収縮作用を利用した接合固定構造である
ことを特徴とするホーニングツール。
【請求項２】
前記接合固定構造において、前記ツール本体の基端接合部の先端部位が前記シャンク部の接合穴を貫通してシャンク部内に突出し、このシャンク部内に突出した基端接合部の先端部位が前記接合穴に対して径方向へ膨出する状態となり、これにより前記接合穴に対する前記基端接合部の抜止め部が形成されている
ことを特徴とする請求項１に記載のホーニングツール。
【手続補正２】
【補正対象書類名】明細書
【補正対象項目名】０００１
【補正方法】変更
【補正の内容】
【０００１】
本発明はホーニングツールに関し、さらに詳細には、ホーニング盤の回転主軸先端に取り付けられて、工作物の被加工穴内径面をホーニング加工するホーニングツールの構造に関する。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】変更
【補正の内容】
【００１８】
上記目的を達成するため、本発明のホーニングツールは、ホーニング盤の回転主軸先端に取り付けられて、工作物の被加工穴内径面をホーニング加工するホーニングツールであって、上記回転主軸先端に着脱可能に取り付けられるシャンク部と、外周に砥石部を有する中空円筒棒状のツール本体とが、接合解除可能な接合手段により接合組立てされてなり、上記接合手段は、上記ツール本体の基端接合部と上記シャンク部の接合穴との接合前後において、これら両者の接合同軸度を保持する接合固定構造であり、この接合固定構造は、熱膨張あるいは熱収縮作用を利用した接合固定構造であることを特徴とする。
【手続補正５】
【補正対象書類名】明細書
【補正対象項目名】００１９
【補正方法】変更
【補正の内容】
【００１９】
好適な実施態様として、上記接合固定構造において、上記ツール本体の基端接合部の先端部位が上記シャンク部の接合穴を貫通してシャンク部内に突出し、このシャンク部内に突出した基端接合部の先端部位が上記接合穴に対して径方向へ膨出する状態となり、これにより上記接合穴に対する上記基端接合部の抜止め部が形成されているものが採用され得る。
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】削除
【補正の内容】
【手続補正１７】
【補正対象書類名】明細書
【補正対象項目名】００３１
【補正方法】削除
【補正の内容】
【手続補正１８】
【補正対象書類名】明細書
【補正対象項目名】００３２
【補正方法】削除
【補正の内容】
【手続補正１９】
【補正対象書類名】明細書
【補正対象項目名】００３３
【補正方法】削除
【補正の内容】
【手続補正２０】
【補正対象書類名】明細書
【補正対象項目名】００３５
【補正方法】変更
【補正の内容】
【００３５】
しかして、本発明のホーニングツールによれば、ホーニング盤の回転主軸先端に取り付けられて、工作物の被加工穴内径面をホーニング加工するホーニングツールであって、上記回転主軸先端に着脱可能に取り付けられるシャンク部と、外周に砥石部を有する中空円筒棒状のツール本体とが、接合解除可能な接合手段により接合組立てされてなり、上記接合手段は、上記ツール本体の基端接合部と上記シャンク部の接合穴との接合前後において、これら両者の接合同軸度を保持する接合固定構造であり、この接合固定構造は、熱膨張あるいは熱収縮作用を利用した接合固定構造であるから、以下に列挙するような効果が得られ、製作コストおよび製品コストの低減化が可能で、高い製作精度を得ることが可能なホーニングツールを提供することができる。
【手続補正２１】
【補正対象書類名】明細書
【補正対象項目名】００４１
【補正方法】削除
【補正の内容】
【手続補正書】
【提出日】平成24年3月16日(2012.3.16)
【手続補正１】
【補正対象書類名】特許請求の範囲
【補正対象項目名】全文
【補正方法】変更
【補正の内容】
【特許請求の範囲】
【請求項１】
第１の多孔質ポリマー層（５２）と第２の多孔質ポリマー層（５４）とそれらの間の遷移接合部（５６）とを含む複数の層を接合（１０４，１１４）し、
接合（１０４，１１４）した後、第１及び第２の多孔質ポリマー層（５２，５４）と遷移接合部（５６）とを含む複数の層（５２，５４）を共延伸（１０６，１１８）して、層毎に変化する気孔率を有する延伸濾過膜（３２）を形成する
ことを含む方法であって、第１の多孔質ポリマー層（５２）の第１の複数の気孔と第２の多孔質ポリマー層（５４）の第２の複数の気孔との配置が遷移接合部に沿ってずれていて気孔の配置ずれを形成し、該気孔の配置ずれが、第１の多孔質ポリマー層（５２）と第２の多孔質ポリマー層（５４）との間で流れの方向を変化させるとともに汚染物質の通過を阻止するように構成される、方法。
【請求項２】
接合すること（１０４，１１４）が、複数の層（５２，５４）を前もって延伸することなくこれらの層（５２，５４）の面を一緒に固定することを含む、請求項１記載の方法。
【請求項３】
複数の層（５２，５４）が複数のポリテトラフルオロエチレン（ＰＴＦＥ）層を含んでいて、第１の多孔質ポリマー層（５２）が第１のＰＴＦＥ層を含み、第２の多孔質ポリマー層（５４）が第２のＰＴＦＥ層を含む、請求項１記載の方法。
【請求項４】
接合すること（１０４，１１４）が、第１の多孔質ポリマー層（５２）と第２の多孔質ポリマー層（５４）との熱的接合又は化学的接合によって第１の多孔質ポリマー層（５２）と第２の多孔質ポリマー層（５４）とを直接接合して遷移接合部（５６）を形成することを含む、請求項１記載の方法。
【請求項５】
共延伸すること（１０６，１１８）が、接合（１０４，１１４）後、複数の層（５２，５４）を少なくとも２０％延伸することを含む、請求項１記載の方法。
【請求項６】
第１の多孔質ポリマー層（５２）に対して第１の孔径を与えるように設定された第１のポリマー混合物を調製し（９６）、
第２の多孔質ポリマー層（５４）に対して第２の孔径を与えるように設定された第２のポリマー混合物を調製し（９８）、
第１のポリマー混合物を押出して（１００）第１のプリフォームにし、
第１のプリフォームとは別個に、第２のポリマー混合物を押出して（１０２）第２のプリフォームにし、第１及び第２のプリフォームがシートではなく、
第１のプリフォームと第２のプリフォームを一緒にプレスして（１０４，１１４）二重層ポリマーシートにし、
二重層ポリマーシートを共延伸して（１０６，１１８）、第１の孔径の気孔を含む第１の多孔質ポリマー層（５２）と第２の孔径の気孔を含む第２の多孔質ポリマー層（５４）とを含む延伸濾過膜（３２）を形成する
ことを含む、請求項１記載の方法。
【請求項７】
第１の多孔質ポリマー層（５２）に対して第１の孔径を与えるように設定された第１のポリマー混合物を調製し（９６）、
第２の多孔質ポリマー層（５４）に対して第２の孔径を与えるように設定された第２のポリマー混合物を調製し（９８）、
第１のポリマー混合物を、第１の多孔質ポリマー層（５２）に対応する第１のシートへと成形し、
第１のシートとは別個に、第２のポリマー混合物を、第２の多孔質ポリマー層（５４）に対応する第２のシートへと成形し、
第１のシートを第２のシートと共にプレスすると同時に共延伸して、第１の孔径の気孔を含む第１の多孔質ポリマー層（５２）と第２の孔径の気孔を含む第２の多孔質ポリマー層（５４）とを含む延伸濾過膜（３２）を形成する
ことを含み、第１のシートを第２のシートと共にプレスすると同時に共延伸する際に遷移接合部が形成される、請求項１記載の方法。
【請求項８】
複数の共延伸層を有する延伸濾過膜を通して流れる媒体中の物質を濾過することを含む方法であって、
上記複数の共延伸層が、第１の平均孔径の第１の複数の気孔を有する第１の多孔質ポリマー層（５２）と、第１の平均孔径とは異なる第２の平均孔径の第２の複数の気孔を有する第２の多孔質ポリマー層（５４）と、第１の多孔質ポリマー層（５２）と第２の多孔質ポリマー層（５４）の間の遷移接合部（５６）とを含んでおり、
第１の多孔質ポリマー層（５２）と第２の多孔質ポリマー層（５４）との間の遷移接合部（５６）で上記物質の通過が阻止され、第１の複数の気孔と第２の複数の気孔との配置が遷移接合部に沿ってずれていて気孔の配置ずれを形成し、該気孔の配置ずれが流れの方向を変化させるように構成されている、方法。
【請求項９】
第１の平均孔径の第１の複数の気孔を有する第１の多孔質ポリマー層（５２）と、
第１の平均孔径とは異なる第２の平均孔径の第２の複数の気孔を有する第２の多孔質ポリマー層（５４）と、
第１の多孔質ポリマー層（５２）と第２の多孔質ポリマー層（５４）の間で共延伸された遷移接合部（５６）と
を含む濾過膜を備える装置であって、
第１の複数の気孔と第２の複数の気孔との配置が遷移接合部に沿ってずれていて気孔の配置ずれを形成し、該気孔の配置ずれが流れの方向を変化させるように構成され、気孔の配置ずれを有する遷移接合部が第１の多孔質ポリマー層（５２）と第２の多孔質ポリマー層（５４）との間で汚染物質の通過を阻止するように構成されている、装置。
【請求項１０】
第１の平均孔径及び第２の平均孔径が共に１０μｍ未満であって、第２の平均孔径が第１の平均孔径の少なくとも５０％未満である、請求項９記載の装置。
【手続補正書】
【提出日】平成24年3月19日(2012.3.19)
【手続補正１】
【補正対象書類名】特許請求の範囲
【補正対象項目名】全文
【補正方法】変更
【補正の内容】
【特許請求の範囲】
【請求項１】
基板と、該基板に配置された薄膜とを有する太陽電池に用いられる被加工基板を加工するレーザ加工装置において、
前記被加工基板を保持する保持部と、
前記被加工基板の前記薄膜にレーザ光を照射して、該薄膜を加工するレーザ発振器と、
前記保持部に保持された前記被加工基板の前記薄膜に対するレーザ光の照射位置を相対的に移動させて、レーザ光によって前記薄膜に加工線を形成させる移動機構と、
前記加工線の一側方に位置する第一薄膜ブロックと、該加工線の他側方に位置する第二薄膜ブロックとの間の電気的特性を測定する電気測定部と、を備え、
前記電気測定部は、前記加工線に沿った複数の箇所で前記第一薄膜ブロックと前記第二薄膜ブロックとの間の電気的特性を測定することで、前記薄膜の未加工箇所を検出することを特徴とするレーザ加工装置。
【請求項２】
前記電気測定部によって検出された未加工箇所の近辺を光学的に観察することで、前記薄膜の未加工箇所を検出する光学検出部をさらに備えたことを特徴とする請求項１に記載のレーザ加工装置。
【請求項３】
前記薄膜の未加工箇所にレーザ光を照射することによって、該未加工箇所を再加工するリペアレーザ発振器をさらに備えたことを特徴とする請求項１または２のいずれかに記載のレーザ加工装置。
【請求項４】
前記電気測定部は、前記第一薄膜ブロックに接触可能な第一測定ローラと、前記第二薄膜ブロックに接触可能な第二測定ローラとを有し、
前記第一薄膜ブロックと前記第二薄膜ブロックとの間の電気的特性を、前記第一測定ローラおよび前記第二測定ローラを用いて連続的に測定することを特徴とする請求項１乃至３のいずれか１項に記載のレーザ加工装置。
【請求項５】
前記電気測定部は、前記第一薄膜ブロックに接触可能な複数の第一測定プローブと、前記第二薄膜ブロックに接触可能な複数の第二測定プローブとを有し、
前記第一薄膜ブロックと前記第二薄膜ブロックとの間の電気的特性を、前記複数の第一測定プローブおよび前記複数の第二測定プローブを用いて複数箇所で測定することを特徴とする請求項１乃至３のいずれか１項に記載のレーザ加工装置。
【請求項６】
基板と、該基板に配置された薄膜とを有する太陽電池に用いられる被加工基板を加工するレーザ加工方法において、
レーザ発振器によって前記被加工基板の前記薄膜にレーザ光を照射するとともに、移動機構によって該被加工基板の該薄膜に対するレーザ光の照射位置を相対的に移動させることによって、該薄膜に加工線を形成する工程と、
加工線に沿った複数の箇所で、前記加工線の一側方に位置する第一薄膜ブロックと、該加工線の他側方に位置する第二薄膜ブロックとの間の電気的特性を測定することで、前記薄膜の未加工箇所を検出する工程と、
を備えたことを特徴とするレーザ加工方法。
【請求項７】
光学検出部によって、前記電気測定部で検出された未加工箇所の近辺を光学的に観察することで、前記薄膜の未加工箇所を検出する工程をさらに備えたことを特徴とする請求項６に記載のレーザ加工方法。
【請求項８】
リペアレーザ発振器によって、前記薄膜の未加工箇所にレーザ光を照射することで、該未加工箇所を再加工する工程をさらに備えたことを特徴とする請求項６または７のいずれかに記載のレーザ加工方法。
【請求項９】
前記電気的特性は電気抵抗からなり、
前記薄膜の未加工箇所を検出する工程は、前記第一薄膜ブロックと前記第二薄膜ブロックとの間で測定された電気抵抗の値が極小値となった位置を前記未加工箇所として検出することを特徴とする請求項６乃至８のいずれか１項に記載のレーザ加工方法。
【手続補正書】
【提出日】平成24年7月13日(2012.7.13)
【手続補正１】
【補正対象書類名】明細書
【補正対象項目名】発明の名称
【補正方法】変更
【補正の内容】
【発明の名称】電子機器及びプログラム
【手続補正２】
【補正対象書類名】明細書
【補正対象項目名】０００１
【補正方法】変更
【補正の内容】
【０００１】
本発明は、電子機器及びプログラムに関する。
【手続補正３】
【補正対象書類名】明細書
【補正対象項目名】００１３
【補正方法】変更
【補正の内容】
【００１３】
本発明の課題は、電源容量の拡大を要せず電池から供給される電力により駆動される第１の装置の安定した動作と電池から供給される電力により駆動される第２の装置の動作性能の保持とを両立させることができるようにすることである。
【手続補正４】
【補正対象書類名】明細書
【補正対象項目名】００１４
【補正方法】変更
【補正の内容】
【００１４】
上記課題を解決するため、請求項１記載の電子機器は、電池から供給される電力により駆動される第１の装置及び第２の装置を備えた電子機器において、前記第１の装置へ流れる電流を監視する監視手段と、前記監視手段の監視結果に基づいて、前記第１の装置へ流れる電流と前記第２の装置へ流れる電流の和が予め決められた基準電流値以下となるように前記第２の装置の動作を制御する制御手段と、を備えることを特徴とする。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】変更
【補正の内容】
【００１７】
本発明によれば、電源容量の拡大を要せず電池から供給される電力により駆動される第１の装置の安定した動作と電池から供給される電力により駆動される第２の装置の動作性能の保持とを両立させることができる。
【手続補正８】
【補正対象書類名】特許請求の範囲
【補正対象項目名】全文
【補正方法】変更
【補正の内容】
【特許請求の範囲】
【請求項１】
電池から供給される電力により駆動される第１の装置及び第２の装置を備えた電子機器において、
前記第１の装置へ流れる電流を監視する監視手段と、
前記監視手段の監視結果に基づいて、前記第１の装置へ流れる電流と前記第２の装置へ流れる電流の和が予め決められた基準電流値以下となるように前記第２の装置の動作を制御する制御手段と、
を備えることを特徴とする電子機器。
【請求項２】
前記第１の装置は、通信装置であり、前記第２の装置は、一又は複数の単位で個別に駆動可能な複数の発色素子を有するプリンタであり、
前記制御手段は、前記発色素子の駆動数を変更することにより前記第２の装置の動作を制御することを特徴とする請求項１に記載の電子機器。
【請求項３】
前記電池の電圧値を検知する電圧検知手段を備え、
前記制御手段は、前記電圧検知手段によって検知された前記電圧値と予め決められた基準電圧値との比較結果に基づいて前記第２の装置の動作を制御することを特徴とする請求項１又は２に記載の電子機器。
【請求項４】
電池から供給される電力により駆動される第１の装置及び第２の装置を備えた電子機器のコンピュータを、
前記第１の装置へ流れる電流を監視する監視手段、
前記監視手段の監視結果に基づいて、前記第１の装置へ流れる電流と前記第２の装置へ流れる電流の和が予め決められた基準電流値以下となるように前記第２の装置の動作を制御する制御手段、
として機能させるためのプログラム。
【手続補正書】
【提出日】平成24年7月19日(2012.7.19)
【手続補正１】
【補正対象書類名】特許請求の範囲
【補正対象項目名】全文
【補正方法】変更
【補正の内容】
【特許請求の範囲】
【請求項１】
ゲームを実行するゲーム装置に装着可能であり、前記ゲームにおいて利用可能な複数のキャラクタのいずれかに対応する識別情報を保持する情報保持媒体であって、
前記ゲームで利用されるキャラクタの属性を示す属性情報を保持する第１の部品と、
前記第１の部品に対して着脱可能に装着でき、前記ゲームで利用されるキャラクタの種類を示す種類情報を保持する第２の部品と
を備え、
前記情報保持媒体が保持する識別情報は、前記第１の部品が保持している属性情報と、当該第１の部品に装着されている第２の部品が保持している種類情報を含んでおり、かつ当該識別情報は、前記第１の部品が保持する属性情報が示す前記キャラクタの属性と、前記第２の部品が保持する種類情報が示す前記キャラクタの種類との組み合わせによって特定されるキャラクタに対応している、
ことを特徴とする情報保持媒体。
【請求項２】
前記第１の部品は、前記キャラクタの属性を示す第１のデータ信号に対応した凹凸が形成された第１の凹凸部を備え、
前記第２の部品は、前記キャラクタの種類を示す第２のデータ信号に対応した凹凸が形成された第２の凹凸部を備え、
前記情報保持媒体が前記ゲーム装置に装着された際に、前記第１及び第２の凹凸部に形成された凹凸を前記ゲーム装置に読み取らせることで、前記第１及び第２のデータ信号を前記ゲーム装置に読み取らせ、前記第１及び第２のデータ信号の組み合わせによって前記識別情報に対応するキャラクタを前記ゲーム装置に特定させる
ことを特徴とする請求項１に記載の情報保持媒体。
【請求項３】
前記第１の凹凸部には、前記第１のデータ信号に対する第１のパリティに対応した凹凸が更に形成されており、
前記第２の凹凸部には、前記第２のデータ信号に対する第２のパリティに対応した凹凸が更に形成されており、
前記ゲーム装置における、前記第１及び第２のデータ信号の読取結果における誤りの有無の判定を、前記第１及び第２のパリティに基づいて可能にする
ことを特徴とする請求項２に記載の情報保持媒体。
【請求項４】
前記情報保持媒体が前記ゲーム装置の装着部に装着された際に、当該装着部に設けられたスイッチが前記第１及び第２の凹凸部に形成された凹凸によって押下されたか否かに基づいて、前記ゲーム装置における、前記第１及び第２の凹凸部に形成された凹凸に対応する信号の読み取りを可能にすることを特徴とする請求項２または３に記載の情報保持媒体。
【請求項５】
前記第１の部品に対して装着可能であり、表面上の所定の位置に、前記情報保持媒体が保持する前記識別情報に対応するキャラクタを表す記号が表示された第３の部品を更に備えることを特徴とする請求項１乃至４のいずれか１項に記載の情報保持媒体。
【手続補正２】
【補正対象書類名】明細書
【補正対象項目名】発明の名称
【補正方法】変更
【補正の内容】
【発明の名称】情報保持媒体
【手続補正３】
【補正対象書類名】明細書
【補正対象項目名】０００８
【補正方法】変更
【補正の内容】
【０００８】
本発明は、例えば、情報保持媒体として実現できる。情報保持媒体は、ゲームを実行するゲーム装置に装着可能であり、ゲームにおいて利用可能な複数のキャラクタのいずれかに対応する識別情報を保持する情報保持媒体であって、ゲームで利用されるキャラクタの属性を示す属性情報を保持する第１の部品と、第１の部品に対して着脱可能に装着でき、ゲームで利用されるキャラクタの種類を示す種類情報を保持する第２の部品とを備え、情報保持媒体が保持する識別情報は、第１の部品が保持している属性情報と、当該第１の部品に装着されている第２の部品が保持している種類情報を含んでおり、かつ当該識別情報は、第１の部品が保持する属性情報が示すキャラクタの属性と、第２の部品が保持する種類情報が示すキャラクタの種類との組み合わせによって特定されるキャラクタに対応していることを特徴とする。
【手続補正書】
【提出日】平成24年2月20日(2012.2.20)
【手続補正１】
【補正対象書類名】特許請求の範囲
【補正対象項目名】全文
【補正方法】変更
【補正の内容】
【特許請求の範囲】
【請求項１】
ユーザ固有の情報を記憶する記憶手段を備え、ネットワークを介して他の情報処理装置と通信可能な情報処理装置であって、
ユーザを認証するための処理を行う認証手段と、
前記ユーザ固有の情報を記憶している装置を特定するデバイス情報を記憶する可搬記憶媒体が接続された場合に、前記可搬記憶媒体から前記デバイス情報を読み出す読出手段と、
前記認証手段による認証が成功した場合に、前記デバイス情報が前記他の情報処理装置を示す場合には前記ネットワークを介して該他の情報処理装置から前記ユーザ固有の情報を取得し、前記デバイス情報が自装置を示す場合には該当する前記ユーザ固有の情報を前記記憶手段から取得する取得手段と、
取得された前記ユーザ固有の情報に基づいて、前記ユーザ固有の処理を実行する実行手段と
を備えることを特徴とする情報処理装置。
【請求項２】
前記可搬記憶媒体に記憶された前記デバイス情報が前記他の情報処理装置を示す場合に、該他の情報処理装置から取得した前記ユーザ固有の情報を前記記憶手段に記憶し、前記可搬記憶媒体の前記デバイス情報として自装置のデバイス情報を書きこむ書込手段をさらに備えることを特徴とする請求項１に記載の情報処理装置。
【請求項３】
前記記憶手段に記憶された前記ユーザ固有の情報の有効期限を示す有効期限情報を設定する設定手段と、
前記有効期限が経過すると、前記記憶手段に記憶している前記ユーザ固有の情報を削除する削除手段とをさらに備えることを特徴とする請求項２に記載の情報処理装置。
【請求項４】
前記可搬記憶媒体に前記デバイス情報が記憶されていない場合に、前記ユーザ固有の情報を登録するための登録画面を前記情報処理装置の表示部に表示してユーザに登録させる登録手段と、
前記ユーザ固有の情報が登録されると、自装置を特定するデバイス情報を前記可搬記憶媒体に書き込む書込手段と
をさらに備えることを特徴とする請求項１に記載の情報処理装置。
【請求項５】
前記ユーザ固有の情報は、前記情報処理装置の表示部に表示される表示画面の構成を示す情報であり、
前記実行手段は、
前記ユーザ固有の情報に基づいて、前記ユーザ固有の表示画面を前記情報処理装置の表示部に表示することを特徴とする請求項１乃至４の何れか１項に記載の情報処理装置。
【請求項６】
前記取得手段は、前記デバイス情報が前記他の情報処理装置を示す場合であっても、前記記憶手段に前記ユーザ固有の情報が記憶されている場合には、前記記憶手段に記憶されている前記ユーザ固有の情報を取得することを特徴とする請求項１乃至５の何れか１項に記載の情報処理装置。
【請求項７】
前記認証手段がユーザを認証し、前記可搬記憶媒体が接続されない場合、前記情報処理装置の表示部には、前記デバイス情報を前記ユーザに入力させるための入力画面が表示されることを特徴とする請求項１乃至６の何れか１項に記載の情報処理装置。
【請求項８】
ユーザ固有の情報を記憶する記憶手段を備え、ネットワークを介して他の情報処理装置と通信可能な情報処理装置の制御方法であって、
認証手段が、ユーザを認証するための処理を行うステップと、
読出手段が、前記ユーザ固有の情報を記憶している装置を特定するデバイス情報を記憶する可搬記憶媒体が接続された場合に、前記可搬記憶媒体から前記デバイス情報を読み出すステップと、
取得手段が、前記認証が成功した場合に、前記デバイス情報が前記他の情報処理装置を示す場合には前記ネットワークを介して該他の情報処理装置から前記ユーザ固有の情報を取得し、前記デバイス情報が自装置を示す場合には該当する前記ユーザ固有の情報を前記記憶手段から取得するステップと、
実行手段が、取得された前記ユーザ固有の情報に基づいて、前記ユーザ固有の処理を実行するステップと
を実行することを特徴とする情報処理装置の制御方法。
【請求項９】
請求項８に記載の制御方法の各ステップをコンピュータにより実行させることを特徴とするプログラム。
【手続補正２】
【補正対象書類名】明細書
【補正対象項目名】０００６
【補正方法】変更
【補正の内容】
【０００６】
本発明は、例えば、ユーザ固有の情報を記憶する記憶手段を備え、ネットワークを介して他の情報処理装置と通信可能な情報処理装置であって、ユーザを認証するための処理を行う認証手段と、ユーザ固有の情報を記憶している装置を特定するデバイス情報を記憶する可搬記憶媒体が接続された場合に、可搬記憶媒体からデバイス情報を読み出す読出手段と、認証手段による認証が成功した場合に、デバイス情報が他の情報処理装置を示す場合にはネットワークを介して他の情報処理装置からユーザ固有の情報を取得し、デバイス情報が自装置を示す場合には該当するユーザ固有の情報を記憶手段から取得する取得手段と、取得されたユーザ固有の情報に基づいて、ユーザ固有の処理を実行する実行手段とを備えることを特徴とする。